(57)【要約】【課題】加工した竹ひごを並べてすだれ状に配置し、撥水性の合成樹脂から成る樹脂糸で固縛することで、水分を弾き、水分の吸着によるカビの発生や色素等による固縛糸の黒ズミを抑え、且つ涼感を喚起させるすだれコースターを提供することを目的とする。【解決手段】竹を加工した竹ひご１を複数配置し、複数の竹ひご１を所定の間隔で、樹脂糸２で捻じりつつ編み込むことですだれ状に結束して成ることを特徴とするすだれコースター。【選択図】図１
0003172542.tif 000002
【実用新案登録請求の範囲】
【請求項１】
竹を加工した竹ひごを複数配置し、
複数の前記竹ひごを所定の間隔で、樹脂糸で捻じりつつ編み込むことですだれ状に結束して成ることを特徴とするすだれコースター。
【請求項２】
前記竹を平板、角棒、丸棒に形を加工した前記竹ひごであって、前記竹ひごを自由に組み合わせて配置されていることを特徴とする請求項１記載のすだれコースター。
【請求項３】
前記樹脂糸は、ポリアミド系合成繊維、フッ素系樹脂、ポリエステル、ポリエチレンの何れか一種で形成された合成樹脂の糸であって、前記合成樹脂の糸を複数組み合わせて前記竹ひごを編み込んで結束することを特徴とする請求項１または請求項２記載のすだれコースター。
【考案の詳細な説明】
【技術分野】
【０００１】
本考案は、飲食店で使用する料理やグラスを載置するコースターであって、竹を加工した複数の竹ひごを並べて、撥水機能を持つ樹脂糸ですだれ状に結束し形成されたすだれコースターに関する。
【背景技術】
【０００２】
ジュースやビール等のグラス或いはジョッキを載置する従来のコースターは、吸水性を主眼とした紙製、コルク製、或いはプラスチック製等の様々なコースターが利用されている。しかし、吸着した水分により、持ち上げた際にコースターがグラスやジョッキの底に付いたままとなる問題があった。
【０００３】
そのため、例えば図４に示す特許文献１のコースター５１の断面図では、表面側コースター部材５２Ａと裏面側コースター部材５２Ｂを接合樹脂部材５３で貼り合わせたコースター５１で、グラスＧを載置した際に裏面側が凹弧状に凹むように一方向に反った湾曲形状で、持ち上げたグラスＧ等の底にコースター５１が付着することない。またグラスＧやコップ等を置く際、グラスＧの重さでフラットな形状（一点鎖線で示す形状）に変形することで緩衝性能を有した湾曲形状のコースターが開示されている。
【先行技術文献】
【特許文献】
【０００４】
【特許文献１】特開２００９−２５４６７１号公報
【考案の概要】
【考案が解決しようとする課題】
【０００５】
しかし、従来のコースターが吸水性を目的としているため、結露によりグラスやジョッキの底にコースターが付着する問題が現存している。
【０００６】
また、市販されているすだれを利用して作成したコースターでは、繰り返し再使用すると木綿糸を束ねたタコ糸等の固縛糸が繊維の隙間に吸着した水分により、カビの発生、或いは珈琲や紅茶等の色素を含んだ水分の付着による黒ズミが発生する等の衛生上の問題がある。
【０００７】
本考案は以上の課題に鑑みてなされたもので、加工した竹ひごを並べてすだれ状に配置して撥水性のある合成樹脂から成る樹脂糸で固縛することで、水分を弾き、水分の吸着によるカビの発生や色素等による固縛糸の黒ズミを抑え、且つ涼感を喚起させるすだれコースターを提供することを目的とする。
【課題を解決するための手段】
【０００８】
本考案は上記の目的を達成するため、以下（１）〜（３）の構成を備えるものである。
【０００９】
（１）竹を加工した竹ひごを複数配置し、複数の前記竹ひごを所定の間隔で、樹脂糸で捻じりつつ編み込むことですだれ状に結束して成ることを特徴とするすだれコースター。
【００１０】
（２）前記竹を平板、角棒、丸棒に形を加工した前記竹ひごであって、前記竹ひごを自由に組み合わせて配置されていることを特徴とする前記（１）記載のすだれコースター。
【００１１】
（３）前記樹脂糸は、ポリアミド系合成繊維、フッ素系樹脂、ポリエステル、ポリエチレンの何れか一種で形成された合成樹脂の糸であって、前記合成樹脂の糸を複数組み合わせて前記竹ひごを編み込んで結束することを特徴とする前記（１）または（２）記載のすだれコースター。
【考案の効果】
【００１２】
本考案のすだれコースターによれば、青竹や燻竹等による涼しげな和の風情、竹ひごの形を変えて並べた配置の面白さ、竹ひごを結束するテグスの配色による模様の面白さ、またスダレの持つ柔軟性や竹ひご間に水の表面張力を利用して結露した水を保持する保水機能を有し、撥水性の樹脂糸で固縛することで黒ズミの発生を抑え、安価で簡単に洗浄することが可能な繰り返し使用できるすだれコースターを提供できる。
【図面の簡単な説明】
【００１３】
【図１】（ａ）大判サイズのすだれコースターを示す図、（ｂ）小型のすだれコースターを示す図、（ｃ）樹脂糸に捻じりを加えた固縛を示す図
【図２】本考案に係るすだれコースターの使用例を示す図、（ａ）プレート上に載置した図、（ｂ）盛り皿に載置した図、（ｃ）グラスを載置した図、（ｄ）ジョッキを載置した図
【図３】すだれコースターの作成例を示す図、（ａ）平板と丸棒の竹ひごを組み合わせた図、（ｂ）四隅に丸みを持たせた図、（ｃ）節入り平板と丸棒の竹ひごを組み合わせた図
【図４】従来のコースターの構成図
【考案を実施するための形態】
【００１４】
以下、本考案を実施するための形態を、実施例により詳しく説明する。尚、本考案において述べる竹ひごは、竹を割って平板状（竹簡）や丸棒や角棒状に削って加工した本来の竹ひごと、竹の細い枝材も含めた竹材として記述する。
【実施例】
【００１５】
図１は、本考案のすだれコースター１０の構成図である。複数の竹ひご１を平行に並べて、捻じった樹脂糸２で竹ひご１を編み込む構造である。図１（ａ）は盛り皿やプレート上に載置する大型のすだれコースター１０で、図１（ｂ）は小鉢、グラス、ビールジョッキ等を載置する小型のすだれコースター１０である。
【００１６】
市販されている巻き寿司や蒸籠そば等に使用される巻きす等の竹製のすだれは、複数の竹ひごを平行に並べてその一本一本を、二本の捻じったタコ糸で交互に編み込んで固縛した構造となっている。木綿糸を束にして捻じった状態のタコ糸で交互に竹ひごを編み込むことで、竹ひごには捻じれたタコ糸の元に戻ろうとする復元力により締付ける力が働く。そのため、タコ糸の簡単な交互編みでありながら、竹ひごを水平方向にずらそうとすると竹ひごが拘束され抜けることがなく、且つすだれを巻き込む方向には高い柔軟性を保つ構造となっている。
【００１７】
しかし、木綿糸を束ねたタコ糸はその構造から繊維が水分を吸収し易いため、繊維の間に雑菌やカビが繁殖し、また珈琲や紅茶等の色素が付着してタコ糸に黒ズミが発生してしまい衛生面でも美観の点においても問題があり、そのため再利用するサイクルタイムが短いという問題がある。
【００１８】
図１（ｃ）に示すように、この捻じったタコ糸の復元力を利用した拘束する効果を、撥水機能を有する合成樹脂の糸や合成繊維等で作成された二本の樹脂糸２ａ，２ｂを撚り合わせて再現し、更に樹脂糸２の持つ弾性が加わることで竹ひご１をより強く固縛し、確実に拘束するように構成したのが本考案のすだれコースター１０の特徴である。また竹ひご１の固縛力を更に高めるため、竹ひご１を樹脂糸２で固縛する際に巻き結びや二結び等の結び方を工夫して結束しても良く、結び方を変えるだけですだれコースター１０の美観を向上させることもできるため、竹ひご１を樹脂糸２で固縛する結び方は限定しない。
【００１９】
また、タコ糸の持つ複数の木綿糸を束ねた撚り糸構造が吸水性を有するのに対し、樹脂糸２は撥水性を備えており、複数の樹脂糸２を束ねて撚り糸にした場合でも、樹脂糸２の撥水性により水切れが良く水に濡れても直ぐに乾かすことができるので、雑菌やカビの繁殖や珈琲等の色素の沈着による黒ズミの発生を抑えることが可能で、衛生面や美観の点においても優れており、洗浄したすだれコースター１０は繰り返し再利用することが可能なサイクルタイムの長い製品を提供できる。
【００２０】
すだれに使用する竹ひご１について、青竹、黒竹、真竹、煤竹等の種々の色の竹の他、竹の加工により平板（竹簡）、角棒、丸棒、節入り等の加工材や細い枝材を含め、太さも様々で仕様に応じて選択することができる。また竹ひご１も若干の吸水性があり、黒ズミを生じることがあるため、竹ひご１に塗料や漆でコーティングを施して撥水性を高める方法や、黒竹や油分を含む煤竹等の有色の竹ひご１を使用しても良い。それらをすだれ状（或いは冊状）に組み合わせたことで、配置の面白いすだれコースター１０を構成できる。
【００２１】
竹ひご１を適当な間隔で配置すると、竹ひご１の間に付いた水滴や油がその表面張力により竹ひご１の間に保持され、テーブルや皿の上に水滴や油が垂れ落ちない保水効果を発揮する。例えテーブルや皿に垂れ落ちた水滴や油が有っても、竹ひご１とテーブル面との間の表面張力により広がることがない。このすだれコースター１０の持つ表面張力を利用した保水機能が、カウンターやテーブル或いはプレートや盛り皿の美観を損なわない大きな特徴である。
【００２２】
竹ひご１を固縛する樹脂糸２の素材は、合成樹脂及び合成樹脂の糸を撚り合わせた合成繊維から成り、例えばナイロン（登録商標）に代表されるポリアミド系合成繊維、フロロカーボン或いはポリフッ化ビニリデル等のフッ素系樹脂、ポリエステル、ポリエチレン等で形成された釣り糸等があり、色、太さ、硬さ、伸縮性、糸の強度、耐摩耗性、耐候性、価格等、夫々に特徴がある釣り糸が安価で多数市販されている。入手し易い釣り糸は、本考案のすだれコースター１０の固縛に使用する樹脂糸２として有用で、仕様に応じて多種多様な釣り糸から適宜選択しても良い。
【００２３】
竹ひご１の配置間隔は使用する樹脂糸２の太さ（例えば、釣り糸の場合０．１〜１５０号：０．０５〜２．０３ｍｍ）によって決まり、樹脂糸２を束ねて撚り糸にして使用し１〜５ｍｍ程度に配置間隔を調整しても良い。また、有色の樹脂糸２を複数組み合わせて撚り糸にすることで、固縛する糸の彩り（配色）が際立つすだれコースター１０を構成して美観の向上につながる。
【００２４】
図２には、すだれコースター１０の使用例を示す。図２（ａ）に示すプレート４上の笹の葉３の上や、図２（ｂ）に示す盛り皿５の上にすだれコースター１０を載置し、その上に魚や肉や野菜の天ぷら、或いは刺身料理に沿えるけん、つま、辛み等のあしらいを含めた食材２０を盛り付けた場合の使用例である。すだれコースター１０の特徴である表面張力を利用した保水機能で、天ぷら等の食材２０に余分な水分や油を付着させることなくサクサクとした食感を維持し、盛り付けられた食材２０の美観を保つ効果がある。
【００２５】
プレート４や盛り皿５にすだれコースター１０を置くことで、視覚的に衛生面での心理的な安心感や高級感を喚起できる。また、食材２０から出た余分な水分や油を、すだれ状の竹ひご１の間で保持するため食材２０には再付着せず、また載置された盛り皿５に落下する水分や油や食べかす等の付着が限定され、使用後の食器の洗浄等も楽に行うことができる。
【００２６】
またグラス６やジョッキ７等を載置する場合、従来のコースターはグラス６やジョッキ７に付いた水滴でテーブルやテーブルクロスが濡れないようにすることが重要で、その目的に適った構造や吸水性の素材を用いている。しかし、図２（ｃ）、図２（ｄ）に示すすだれコースター１０にグラス６やジョッキ７等を載置する場合、すだれコースター１０はその構造からも分かるように、コースターが付着することは無いが、竹ひご１の間から落ちた水滴でテーブルやテーブルクロスが濡れてしまうことを前提としたコースターとなっている。そのため、従来のコースターの目的からすれば不適格なコースターである。
【００２７】
しかし、本考案のすだれコースター１０の実用性は、グラス６やジョッキ７の底にコースターが付着することが無く、水滴でテーブル面が濡れることを前提としながらも、すだれ状の竹ひご１間で水の表面張力を利用して水滴を保持する保水機能に有り、保持した水滴がテーブル面に広がるのを防止して美観を保つことを目的としている。当然ながら吸水効果のある布製のテーブルクロス上では効果は限定されるが、カウンターやテーブル上では竹ひご１間の保水機能が有効に機能することで、美観を損なわず垂れた水滴が保持され広がることがない。すだれコースター１０の下に溜まった水滴は、使用後に乾いた布巾で拭き取ることでカウンターやテーブル面は常に清潔に保つことができる。
【００２８】
何よりも、本考案のすだれコースター１０にグラス６やジョッキ７等を載置する場合、そのすだれ状の構造が如何にも涼しげで涼感を喚起させるという最大の美的効果を発揮する点にある。
【００２９】
図３は、すだれコースター１０の作成例である。図３（ａ）は平板の竹ひご１ａと棒状の竹ひご１ｂとを組み合わせて配置し、有色の樹脂糸２を使って編み上げることで形と色に変化のあるすだれコースター１０を構成できる。平板の竹ひご１ａだけを並べて竹簡のような、すだれコースター１０であっても良い。特に有色の樹脂糸２を複数組み合わせた固縛糸で、竹ひご１を編み上げることで美的効果を発揮するすだれコースター１０を提供できる。
【００３０】
図３（ｂ）は大判サイズのすだれコースター１０の四ヶ所のコーナーを丸くカットして、多種多様な盛り皿５の形状に合わせることができるすだれコースター１０で、ランチマットとしても提供できる。
【００３１】
すだれコースター１０のサイズとして、プレート４や盛り皿５に載置する大判サイズのすだれコースター１０の場合は、例えば長さが約１８ｃｍ、幅が約１０．５ｃｍで作成し、グラス６やジョッキ７等を載置するすだれコースター１０の場合は、例えば長さが約１２ｃｍ、幅が約１０．５ｃｍで作成すれば足りる。形状も四角形だけでなく、四隅を切り落として八角形の形状に形成しても良い、サイズも用途により様々で限定しない。
【００３２】
図３（ｃ）は漆等でコーティングした黒竹や煤竹を使った節入りの平板の竹ひご１ａと丸棒の竹ひご１ｂを使用し、有色の樹脂糸２で固縛することで、高級感と外観が醸し出す和の風情を演出するすだれコースター１０を構成できる。その他にも平板（竹簡）、角棒、丸棒、節入り、枝材等の多種多様な形の竹ひご１を自由に組み合わせ、更に竹ひご１を複数の有色の樹脂糸２で編み込むことで人目を惹き、購買意欲を起こさせるたすだれコースター１０を提供できる。また、図３（ａ）に示す竹ひご１の表面に店の名前等の焼き印、或いは予め文字や絵柄を描いて樹脂糸２で固縛することで、より独自性のあるすだれコースター１０を提供できる。
【００３３】
以上、本考案のすだれコースターによれば、青竹や煤竹等の涼感ある和の風情、竹ひごの形を変えて並べた配置の面白さ、竹ひごを固縛する樹脂糸の配色を変えることによる模様の面白さ等の美観を備え、すだれの持つ柔軟性と竹ひご間に生じる水の表面張力を利用して結露した水を保持する機能と、撥水機能のある樹脂糸で固縛することで黒ズミの発生を抑え、簡単に洗浄することで繰り返し使用できるすだれコースターを提供できる。
【符号の説明】
【００３４】
１    竹ひご
２    樹脂糸
３    笹の葉
４    プレート
５    盛り皿
６    グラス
７    ジョッキ
１０  すだれコースター
２０  食材
【図１】
0003172542.tif 000003
【図２】
0003172542.tif 000004
【図３】
0003172542.tif 000005
【図４】
0003172542.tif 000006